(57)【要約】      （修正有）【課題】コンテンツ提供システムにおいて、ブランドと関連したコンテンツを、広告主及び運営者を含む生成主体により区分して確認できる方法を提供する。【解決手段】広告主及び運営者を含む複数の生成主体から収集されたブランドコンテンツを客体別に分割し、各生成主体と連繋してデータベースに保存する段階、使用者により選択されたブランドと関連した商品が陳列されたブランド売場が確認できるページ及び選択されたブランドと関連したコンテンツを、生成主体により区分して確認できる電子ブックを出力する段階、使用者により売場確認ページが選択された場合、分割された客体を組み合わせてブランド売場を出力する段階、運営者コンテンツ確認ページが選択された場合、分割された客体を組み合わせて運営者コンテンツを出力する段階、及び、広告主コンテンツ確認ページが選択された場合、分割された客体を組み合わせて広告主コンテンツを出力する段階を含む。【選択図】図５
2011014117.tif 000002
【特許請求の範囲】
【請求項１】
コンテンツの提供システムを通じてコンテンツを提供する方法において、
広告主及び運営者を含む複数の生成主体から収集されたブランドコンテンツを客体別に分割し、上記の分割された客体をコードと対応するように連繋させる段階；
上記の客体別に分割されたブランドコンテンツを、各生成主体と連繋してデータベースに保存する段階；
使用者からブランドを選択するための入力を受信する段階；
使用者により選択されたブランドと関連した商品が陳列されたブランド売場が確認できるページ及び上記の選択されたブランドと関連したコンテンツを、広告主及び運営者を含む生成主体により区分して確認できるページが備えられた電子ブックを出力する段階；
上記の電子ブックで上記の使用者により売場確認ページが選択された場合、上記の分割された客体を組み合わせて上記のブランド売場を出力する段階；
上記の電子ブックで上記の使用者により運営者コンテンツ確認ページが選択された場合、上記の分割された客体を組み合わせて運営者コンテンツを出力する段階；及び
上記の電子ブックで上記の使用者により広告主コンテンツ確認ページが選択された場合、上記の分割された客体を組み合わせて広告主コンテンツを出力する段階を含むことを特徴とする、コンテンツの提供方法。
【請求項２】
使用者の検索語入力を受信する段階；及び
上記の入力された検索語にマッチングされたブランドを含む検索結果画面を出力する段階をさらに含むことを特徴とする、請求項１に記載のコンテンツの提供方法。
【請求項３】
上記の運営者コンテンツまたは上記の広告主コンテンツを、客体単位で上記の使用者が編集できるようにテンプレートを提供する段階；
上記のテンプレートを通じて編集されたコンテンツを、上記の電子ブックの使用者コンテンツ確認ページにアップデートする段階；及び
上記の電子ブックで上記の使用者により使用者コンテンツ確認ページが選択された場合、使用者コンテンツを出力する段階をさらに含むことを特徴とする、請求項１に記載のコンテンツの提供方法。
【請求項４】
上記の運営者コンテンツ、上記の広告主コンテンツ、及び上記の使用者コンテンツのうち特定コンテンツが確認できるリンク情報を外部の使用者空間の支援フォーマットを考慮し、上記の外部の使用者空間に転送する段階をさらに含むことを特徴とする、請求項３に記載のコンテンツの提供方法。
【請求項５】
上記のブランド売場に陳列された商品のうち、上記の使用者により特定商品が選択された場合、上記の選択された特定商品が購入できる空間に連結されるリンク情報を含む詳細情報を出力する段階をさらに含むことを特徴とする、請求項３に記載のコンテンツの提供方法。
【請求項６】
上記のコンテンツの提供システムは、
複数個の媒体を通じて接続可能であることを特徴とする、請求項３に記載のコンテンツの提供方法。
【請求項７】
第１媒体に対応するように製作された第１ブランドコンテンツを利用して第２媒体に対応される第２ブランドコンテンツを生成する段階；及び、
上記の第１ブランドコンテンツ及び上記の第２ブランドコンテンツを対応される媒体にマッチングされるように保存する段階をさらに含むが、
上記の第２ブランドコンテンツは、第１媒体の規格を第２媒体の規格に変換する規格変換及び上記の第１ブランドコンテンツの構成要素を再エンコードする編集変換のうちの少なくともいずれかを利用して生成されることを特徴とする、請求項６に記載のコンテンツの提供方法。
【請求項８】
上記の第２媒体に対応される上記の第２ブランドコンテンツの生成段階は、
上記の分割された客体と対応するように連繋されたコードのうち、上記の第２媒体と対応される特定コードを呼び出す段階；及び、
上記の呼び出された特定コードと連繋された客体の組み合わせを通じて、上記の第２ブランドコンテンツを生成する段階をさらに含むことを特徴とする、請求項７に記載のコンテンツの提供方法。
【請求項９】
特定媒体の接続信号を受信する受信部；
運営者及び広告主を含む複数の生成主体から収集されたブランドコンテンツを客体別に分割し、上記の分割された客体をコードと対応するように連繋させる制作部；
上記の客体別に分割されたブランドコンテンツを、各生成主体と連繋して保存するデータベース；
使用者からブランドを選択するための入力を受信する入力部；
使用者により選択されたブランドと関連した商品が陳列されたブランド売場が確認できるページ及び上記の選択されたブランドと関連したコンテンツを、広告主及び運営者を含む生成主体により区分して確認できるページが備えられた電子ブックが出力される第１画面、
上記の電子ブックで上記の使用者により売場確認ページが選択された場合、上記の分割された客体の組み合わせにより選択されたブランドと関連した商品が陳列されたブランド売場が出力される第２画面、
上記の電子ブックで上記の使用者により運営者コンテンツ確認ページが選択された場合、上記の選択されたブランドと関連した運営者コンテンツが出力される第３画面、及び
上記の電子ブックで上記の使用者により広告主コンテンツ確認ページが選択された場合、上記の選択されたブランドと関連した広告主コンテンツが出力される第４画面を出力する出力部；及び
上記の特定媒体を通じた上記のコンテンツの提供システムの接続を許諾し、上記の分割された客体とコードを対応するように連繋させ、上記の分割された客体の組み合わせを制御し、上記の受信部、上記のデーターベース、及び上記の出力部を制御する制御部を含むことを特徴とする、コンテンツの提供システム。
【請求項１０】
上記の入力部は、使用者の検索語入力を受信し、
上記の出力部は、上記の入力された検索語にマッチングされたブランドを含む検索結果を出力することを特徴とする、請求項９に記載のコンテンツの提供システム。
【請求項１１】
アップデート部をさらに含むが、
上記の制作部は、上記の運営者コンテンツまたは上記の広告主コンテンツを、客体単位で上記の使用者が編集できるようにテンプレートを提供し、
上記のアップデート部は、上記のテンプレートを通じて編集されたコンテンツを、上記の電子ブックの使用者コンテンツ確認ページにアップデートし、
上記の出力部は、上記の電子ブックで上記の使用者により使用者コンテンツ確認ページが選択された場合、使用者コンテンツを出力する段階をさらに含むことを特徴とする、請求項９に記載のコンテンツの提供システム。
【請求項１２】
上記の運営者コンテンツ、上記の広告主コンテンツ、及び上記の使用者コンテンツのうち特定コンテンツが確認できるリンク情報を外部の使用者空間の支援フォーマットを考慮し、上記の外部の使用者空間に転送する段階をさらに含むことを特徴とする、請求項１１に記載のコンテンツの提供システム。
【請求項１３】
上記の出力部は、
上記のブランド売場に陳列された商品のうち、上記の使用者により特定商品が選択された場合、上記の選択された特定商品が購入できる空間に連結されるリンク情報を含む詳細情報を出力する段階をさらに含むことを特徴とする、請求項１１に記載のコンテンツの提供システム。
【請求項１４】
複数個の媒体を通じて接続可能であることを特徴とする、請求項１１に記載のコンテンツの提供システム。
【請求項１５】
上記の制作部は、第１媒体に対応するように製作された第１ブランドコンテンツを利用し  て第２媒体に対応される第２ブランドコンテンツを生成し、
上記のデータベースは、上記の第１ブランドコンテンツ及び上記の第２ブランドコンテンツを対応される媒体にマッチングされるように保存するが、
上記の第２ブランドコンテンツは、第１媒体の規格を第２媒体の規格に変換する規格変換及び上記の第１ブランドコンテンツの構成要素を再エンコードする編集変換のうちの少なくともいずれかを利用して生成されることを特徴とする、請求項１４に記載のコンテンツの提供システム。
【請求項１６】
上記の制御部は、上記の分割された客体と対応するように連繋されたコードのうち、上  記の第２媒体と対応される特定コードを呼び出し、
上記の制作部は、上記の呼び出された特定コードと連繋された客体の組み合わせを通じて、上記の第２ブランドコンテンツを生成することを特徴とする、請求項１５に記載のコンテンツの提供システム。
【発明の詳細な説明】
【技術分野】
【０００１】
本発明は、コンテンツの提供システム及びコンテンツの提供システムを通じてコンテンツを提供する方法に関する。
【背景技術】
【０００２】
インターネットの発達と移動通信網の拡散と共にインターネットウェブ、ＩＰＴＶ、移動通信、ＤＭＢなどのいわゆる多媒体の時代が渡来している。
【０００３】
使用者は、デスクトップＰＣやノートパソコンを利用して有無線インターネットに接続したり、ＰＤＡやモバイルフォンを利用して無線マルチメディアサービス（ＤＭＢ或いはモバイルマルチメディアサービス）に接続したり、ＴＶを利用してインターネット放送（ＩＰＴＶ）を視聴するなど、多様な媒体を通じてコンテンツを接している。
【０００４】
しかし、媒体の多様性にもかかわらず、使用者が接することができるコンテンツには限界がある。使用者は、自分が主に利用する媒体を通じて限定されたコンテンツを接したり、使用者が所望のコンテンツの便利な提供が受けられない場合がしばしば発生する。
【発明の概要】
【発明が解決しようとする課題】
【０００５】
本発明の目的は、ブランドコンテンツの検索が容易であり、生成主体により区分された多様なブランドコンテンツを提供するコンテンツの提供方法を提供することにある。
【０００６】
本発明の別の目的は、ブランド売場が確認できるページ及びブランドコンテンツを生成主体により区分して確認できるページが区分された電子ブックを通じてコンテンツを提供するコンテンツの提供方法を提供することにある。
【０００７】
本発明の別の目的は、ブランド売場が確認できるページ及びブランドコンテンツを生成主体により区分して確認できるページが区分された電子ブックを通じてコンテンツを提供するコンテンツの提供システムを提供することにある。
【課題を解決するための手段】
【０００８】
上記の目的を達成するために、本発明はコンテンツの提供システムを通じてコンテンツを提供する方法において、広告主及び運営者を含む複数の生成主体から収集されたブランドコンテンツを客体別に分割し、上記の分割された客体をコードと対応するように連繋させる段階；客体別に分割されたブランドコンテンツを、各生成主体と連繋してデータベースに保存する段階；使用者からブランドを選択するための入力を受信する段階；使用者により選択されたブランドと関連した商品が陳列されたブランド売場が確認できるページ及び上記の選択されたブランドと関連したコンテンツを、広告主及び運営者を含む生成主体により区分して確認できるページが備えられた電子ブックを出力する段階；電子ブックで使用者により売場確認ページが選択された場合、上記の分割された客体を組み合わせて上記のブランド売場を出力する段階；電子ブックで上記の使用者により運営者コンテンツ確認ページが選択された場合、上記の分割された客体を組み合わせて運営者コンテンツを出力する段階；及び、電子ブックで上記の使用者により広告主コンテンツ確認ページが選択された場合、上記の分割された客体を組み合わせて広告主コンテンツを出力する段階を含むコンテンツの提供方法を提供する。
【０００９】
上記の目的を達成するために、本発明は特定媒体の接続信号を受信する受信部；運営者及び広告主を含む複数の生成主体から収集されたブランドコンテンツを客体別に分割し、上記の分割された客体をコードと対応するように連繋させる制作部；客体別に分割されたブランドコンテンツを、各生成主体と連繋して保存するデータベース；使用者からブランドを選択するための入力を受信する入力部；使用者により選択されたブランドと関連した商品が陳列されたブランド売場が確認できるページ及び上記の選択されたブランドと関連したコンテンツを、広告主及び運営者を含む生成主体により区分して確認できるページが備えられた電子ブックが出力される第１画面、電子ブックで上記の使用者により売場確認ページが選択された場合、上記の分割された客体の組み合わせにより選択されたブランドと関連した商品が陳列されたブランド売場が出力される第２画面、電子ブックで上記の使用者により運営者コンテンツ確認ページが選択された場合、上記の選択されたブランドと関連した運営者コンテンツが出力される第３画面、及び、電子ブックで上記の使用者により広告主コンテンツ確認ページが選択された場合、上記の選択されたブランドと関連した広告主コンテンツが出力される第４画面を出力する出力部；及び、特定媒体を通じた上記のコンテンツの提供システムの接続を許諾し、上記の分割された客体とコードを対応するように連繋させ、上記の分割された客体の組み合わせを制御し、上記の受信部、上記のデーターベース、及び上記の出力部を制御する制御部を含むコンテンツの提供システムを提供する。
【発明の効果】
【００１０】
本発明の一実施例によるコンテンツの提供方法及びコンテンツの提供システムは、使用者が選択したブランドと関連したブランド売場確認ページ及び上記の選択されたブランド関連コンテンツを、生成主体により区分して確認できるページが区分された電子ブックを通じて多様なブランドコンテンツを使用者に提供することができる。
【００１１】
本発明の一実施例によるコンテンツの提供方法及びコンテンツの提供システムは、複数の生成主体から収集されたブランドコンテンツを客体別に分割し、分割された客体の組み合わせにより、ブランド売場、及びブランドコンテンツを提供することにより、上記のブランド売場及びブランドコンテンツの提供時、ローディング時間の短縮及びデータベースの負荷を減らすことができる。
【図面の簡単な説明】
【００１２】
【図１】本発明の一実施例に係るコンテンツの提供方法を説明するためのブロック図である。
【図２】本発明の一実施例に係るコンテンツの提供システム（３００）を示すブロック図である。
【図３】図２に示された製作部（３１１）でコンテンツを製作する一例を示す図面である。
【図４】分割された客体の組み合わせにより媒体別のブランドコンテンツを生成する方法の一例を示す図面である。
【図５】図２に示されたコンテンツの提供システムを通じてコンテンツを提供する方法の一例を示すフローチャートである。
【図６】ブランドを検索するための入力窓が設けられた画面の一例を示す図面である。
【図７】特定ブランドと関連した電子ブックの一例を示す。
【図８】特定ブランド売場に進入した画面の一例を示す。
【図９】特定商品の詳細情報を示す画面の一例を示す。
【図１０】使用者が選択した特定ブランド売場画面で特定商品を選択し、特定商品と関連したブランドコンテンツがリンクされる画面を示す図面である。
【図１１】特定生成主体が生成したブランドコンテンツを電子ブックを通じて提供する一例を示す。
【図１２】使用者コンテンツを生成することができる画面の一例を示す図面である。
【図１３】電子ブックを通じて提供される特定コンテンツを外部の使用者空間でも確認できるようにリンク情報を転送する一例を示す。
【図１４】複数個のブランドと連関されたブランドコンテンツが対応されるブランドコンテンツに登録される一例を示す。
【発明を実施するための形態】
【００１３】
以下、図面を参照してコンテンツの提供システムを通じてコンテンツを提供する方法について説明する。
【００１４】
図１は、本発明の一実施例に係るコンテンツの提供方法を説明するためのブロック図である。
【００１５】
本発明の一実施例と関連したコンテンツの提供システム（３００）は、ネットワーク（１５０）を通じて連結されて特定媒体（１００）を通じて接続できる。ネットワーク（１５０）とは、媒体を通じて通信を行う網をいうものであって、インターネット網、無線通信網、放送網などを含むことができる。
【００１６】
また、特定媒体（１００）は、コンテンツの提供システム（３００）に接続される多様な端末機を含むことができる。例えば、モバイル端末機、ＴＶ（Ｔｅｌｅｖｉｓｉｏｎ）、ＩＰＴＶ（Ｉｎｔｅｒｎｅｔ  Ｐｒｏｔｏｃｏｌ  Ｔｅｌｅｖｉｓｉｏｎ）、デスクトップＰＣなどを含むことができる。特定媒体（１００）は、使用主体によりコンテンツの提供を受ける使用者端末機、コンテンツを提供する広告主端末機を含むことができる。
【００１７】
また、コンテンツの提供システム（３００）は、複数個の媒体を通じて接続できる。従って、コンテンツの提供システム（３００）は多媒体を通じてコンテンツを提供することができる。上記コンテンツの提供は、コンテンツのディスプレイ、コンテンツの転送を含むことができる。
【００１８】
上記の複数個の媒体には、ＴＶ、ＩＰＴＶ、移動通信（モバイル）、インターネットウェブ（Ｗｅｂ）、ＤＭＢなどが使用できる。
【００１９】
ＴＶは放送局で転送される放送信号を受信し、受信された放送信号を復調して映像と音声情報を表示する媒体をいう。ＴＶはアナログ（ａｎａｌｏｇ）信号を使用するアナログＴＶ、デジタル信号を使用するデジタルＴＶを含むことができる。
【００２０】
ＩＰＴＶは超高速インターネット網を利用して放送チャンネル、ＶＯＤ（Ｖｉｄｅｏ  Ｏｎ  Ｄｅｍａｎｄ）、両方向データサービスなどを一つの端末に提供するサービスである。ＩＰＴＶを提供するための構成要素に、ＣＰ（Ｃｏｎｔｅｎｔｓ  Ｐｒｏｖｉｄｅｒ）、ＰＰ（Ｐｒｏｇｒａｍ  Ｐｒｏｖｉｄｅｒ）などからコンテンツの収集及び加工とＩＰＴＶ網への円滑な転送のために圧縮するコンテンツフォーマットの決定、コンテンツを保有した著作権者の権利保護と不法流通を防止するためのコンテンツの保護技術などがある。本発明の実施例において、ＩＰＴＶは単純なインターネットＴＶを指すものではなく、キーボードではない単純なリモコンで制御できるように設計された専用コンテンツを転送するための媒体を指す。
【００２１】
移動通信は、ＧＳＭ（Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）などの２世代移動通信、ＷＣＤＭＡ（Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎ）、ＣＤＭＡ２０００、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）などの３世代移動通信及びＷｉｂｒｏ、ＬＴＥ（Ｌｏｎｇ  Ｔｅｒｍ  Ｅｖｏｌｕｔｉｏｎ）などの次世代移動通信を含む概念である。また、携帯することを前提とするモバイルフォン（Ｍｏｂｉｌｅ  Ｐｈｏｎｅ）の相対的に小さい画面に適合するように設計された専用コンテンツを転送するための媒体を指す。
【００２２】
インターネットウェブ（Ｉｎｔｅｒｎｅｔ  Ｗｅｂ）は、ｈｔｔｐ（ｈｙｐｅｒｔｅｘｔ  ｔｒａｎｓｆｅｒ  ｐｒｏｔｏｃｏｌ）とＴＣＰ／ＩＰ（ｔｒａｎｓｍｉｓｓｉｏｎ  ｃｏｎｔｒｏｌ  ｐｒｏｔｏｃｏｌ−ｉｎｔｅｒｎｅｔ  ｐｒｏｔｏｃｏｌ）を利用してｈｔｍｌ（ｈｙｐｅｒ  ｔｅｘｔ  ｍａｒｋｕｐ  ｌａｎｇｕａｇｅ）、ｘｍｌ（ｅｘｔｅｎｄｅｄ  ｍａｒｋｕｐ  ｌａｎｇｕａｇｅ）、ｓｇｍｌ（Ｓｔａｎｄａｒｄ  Ｇｅｎｅｒａｌｉｚｅｄ  Ｍａｒｋｕｐ  Ｌａｎｇｕａｇｅ）などのマークアップ言語で製作された文書を転送する媒体を指す。
【００２３】
ＤＭＢ（Ｄｉｇｉｔａｌ  Ｍｕｌｔｉｍｅｄｉａ  Ｂｒｏａｄｃａｓｔｉｎｇ）は、地上派ＤＭＢ及び衛星ＤＭＢを含む概念として携帯可能なＤＭＢ端末機の相対的に小さい画面に適合するように設計された専用コンテンツを転送するための媒体を指す。
【００２４】
一方、明細書の全体における媒体に対応するコンテンツとは、該当媒体を通じて再生が容易であるように最適化されたコンテンツを指す。具体的な例として、インターネットウェブに対応するコンテンツは、ｈｔｍｌ、ｘｍｌなどのマークアップ言語やｊａｖａ  ｓｃｒｉｐｔなどのスクリプト言語、ａｃｔｉｖｅ  ｘ、ｏｃｘなどのアドインプログラムなどからなり、ＴＣＰ／ＩＰを通じて転送されるコンテンツを指す。移動通信に対応するコンテンツは、インターネットウェブのコンテンツを移動通信端末機として利用するために簡略化したものであって、ＷＡＰを通じて転送されるコンテンツを指す。ＩＰＴＶに対応するコンテンツは、ＭＰＥＧ−２、ＭＰＥＧ−４、ＷＭＶ−９、Ｈ．２６４などにエンコードされたマルチメディアファイルを指す。ＤＭＢに対応するコンテンツは、ＭＰＥＧ−２またはＭＰＥＧ−４にエンコードされたマルチメディアファイルであって、ＩＰＴＶよりは相対的に容量が小さいようにエンコードされたファイルを指す。
【００２５】
図２は、本発明の一実施例に関連したコンテンツの提供システム（３００）を示すブロック図である。上記のコンテンツの提供システム（３００）は、データベース（３１０）、製作部（３１１）、受信部（３１２）、転送部（３１３）、アップデート部（３１４）、分析部（３１５）、入力部（３１６）、コンテンツ提供部（３１７）、出力部（３１８）、及び制御部（３１９）を含むことができる。上記のコンテンツの提供システム（３００）に図示された構成要素は、実施態様により一部の構成を省略することもでき、他の構成を追加することもできる。
【００２６】
データベース（３１０）は、各種の情報が保存される空間である。例えば、特定ブランドコンテンツが上記のデータベース（３１０）に保存できる。ブランドコンテンツとは、特定ブランドと関連したコンテンツをいうものであって、ブランドネーム（ｎａｍｅ）と関連したコンテンツ及び上記のブランドネームを有する商品と関連したコンテンツなどを含むことができる。例えば、特定ブランドコンテンツは、特定ブランドに関連した記事、動画、イメージ、製品の詳細情報、製品に関する記事、製品イメージ、及び製品動画などを含むことができる。
【００２７】
一方、本明細書では用語を区分するために、特定製品（例えば、特定カバン、特定履物）のみが示されたイメージを特定商品と称し、特定製品のみが示されたイメージ以外のコンテンツ（例えば、特定ブランドと関連した記事、動画、イメージ、製品の詳細情報、製品に関する記事、及び製品の動画など）をブランドコンテンツと称することにする。
【００２８】
上記のデータベース（３１０）に保存されるブランドコンテンツは、特定基準に応じて分類されて保存できる。例えば、ブランドコンテンツが提供される媒体別に区分されてデータベース（３１０）に保存できる。ＴＶ用のコンテンツ、モバイル用のコンテンツ、ＩＰＴＶ用のコンテンツ、インターネットウェブ用のコンテンツなどに区分できる。上記のように媒体別にコンテンツを区分して保存する理由は、媒体により再生される環境が異なるためである。
【００２９】
また、ブランドコンテンツが生成主体により区分されてデータベース（３１０）に保存できる。コンテンツの生成主体にはブランドの広告主、上記のコンテンツの提供システムを運営する運営者、ブランドコンテンツの提供を受ける使用者などがある。上記の広告主は、特定のブランド商品を販売する販売主体をいい、上記の運営者は上記のコンテンツの提供システム（３００）を運営する運営主体をいい、上記の使用者はコンテンツの提供システム（３００）を通じてブランドコンテンツの提供を受ける主体をいう。従って、コンテンツの提供システム（３００）は多様なルーツを通じてコンテンツを受信し、多様なコンテンツを使用者に提供することができる。
【００３０】
一方、本発明の一実施例によると、ブランドコンテンツまたはブランド商品は、ブランドコンテンツ単位にまたは商品単位に保存することもでき、上記の特定商品またはブランドコンテンツが客体別に分割され、分割された客体及び上記の分割された客体と連繋された特定コードがデータベース（３１０）に保存できる。
【００３１】
上記のデータベース（３１０）には、ブランドコンテンツの他に使用者の行動パターンに対する情報またはブランドのコンテンツに反応情報なども保存できる。使用者の行動パターンに対する情報は、コンテンツの利用情報、コンテンツの生成情報、コンテンツの広告情報、特定コンテンツと関連した製品の購買履歴、ブランドの検索ヒストリーなどを含むことができる。また、ブランドコンテンツに反応情報はコンテンツの照会数、スクラップ回数、コメント数及び編集回数などを含むことができる。
【００３２】
製作部（３１１）は、特定ソースを利用してコンテンツを製作する。上記の特定ソースは、コンテンツをなす客体を含むことができる。例えば、特定ブランドに対する記事がイメージとテキストから構成された場合、イメージ及びテキストともに一つの客体になれる。また、イメージが第１イメージ領域と第２イメージ領域に細分化できる場合、上記の第１イメージ領域及び第２イメージ領域もそれぞれの客体になれる。
【００３３】
製作部（３１１）は、第１媒体に対応するように製作されたコンテンツを利用して第２媒体に対応されるコンテンツを製作することができる。例えば、製作部（３１１）は、ＰＣ用（インターネット用）に製作されたコンテンツを利用してモバイル環境に適合したコンテンツを生成することができる。コンテンツを製作する詳細な方法については、後述する。
【００３４】
また、制作部（３１１）は、使用者によりブランドコンテンツを客体単位で編集できるようにテンプレート（ｔｅｍｐｌａｔｅ）を提供することができる。特に、制作部（３１１）は、複数個のテンプレートを提供して使用者により特定テンプレートを選択するようにすることもできる。テンプレートを通じたブレンドコンテンツの編集については、後述して詳しく説明する。
【００３５】
受信部（３１２）は、多様な信号、またはコンテンツを受信することができる。例えば、受信部（３１２）は、特定媒体の接続信号を受信したり、広告主または使用者からブランドコンテンツを受信することができる。上記の受信された接続信号は制御部（３１９）に伝達されて分析できる。制御部（３１９）は上記の接続信号を分析し、接続された媒体の種類、接続媒体の位置情報、または接続媒体の使用者情報などを分析することができる。制御部（３１９）は、上記の分析された情報を基に特定媒体の接続許否を決定することができる。上記の接続が許諾された場合、コンテンツの提供システム（３００）は接続媒体（１００）とデータ通信を行うことができる。
【００３６】
一方、上記の受信部（３１２）は、接続される媒体に対応するように受信通路を備えることもできる（未図示）。例えば、モバイルを通じた接続信号の第１受信通路で受信され、インターネットウェブを通じた接続信号は第２受信通路で受信され、ＴＶを通じた接続信号は第３受信通路で受信できる。また、受信部（３１２）は、上記の接続される媒体に対応される受信通路を通じて接続媒体から特定データを受信することもできる。
【００３７】
転送部（３１３）は、データベース（３１０）に保存されたブランドコンテンツまたは上記のデータベース（３１０）に保存されたブランドコンテンツが確認できるリンク情報を外部空間に転送する。外部空間とは、上記のコンテンツの提供システム（３００）以外の外部空間をいう。例えば、上記の外部空間は使用者端末機、広告主端末機、特定ウェブサイト（または特定ウェブサーバー）などを含むことができる。上記の外部空間は、外部の使用者空間を含むことできる。外部の使用者空間は、コンテンツの提供システム（３００）の外部に存在するシステムで提供する使用者と連繋された空間を意味する。例えば、特定使用者のミニホームページ、ブログ、電子メール（Ｅ−ｍａｉｌ）などを含むことができる。
【００３８】
一方、転送部（３１３）は、制御部（３１９）の制御を通じて、コンテンツの提供システム（３００）に接続された媒体を考慮して特定データ（例えば、ブランドコンテンツまたはリンク情報）を転送することができる。例えば、転送部（３１３）はモバイル端末機にモバイル用のコンテンツを、ＴＶにはＴＶ用のコンテンツを転送することができる。
【００３９】
一方、上記の転送部（３１３）は、接続される媒体に対応するように転送通路を備えることもできる（未図示）。例えば、モバイルに転送されるデータは第１転送通路を通じて転送され、インターネットウェブに転送されるデータは第２転送通路に転送され、ＴＶに転送される第３転送通路を通じて転送できる。
【００４０】
アップデート部（３１４）は、新規ブランドコンテンツがコンテンツの提供システム（３００）の特定領域に登録された場合、上記の特定領域と連繋された他の領域にも上記の登録された新規ブランドコンテンツをアップデートすることができる。従って、第１領域に新規コンテンツが登録された場合、アップデート部（３１４）は、上記の第１領域と連繋された第２領域にも上記の新規コンテンツをアップデートすることができる。上記の第１領域及び上記の第２領域は、コンテンツの提供システム（３００）に設けられた空間であり得る。例えば、上記の第１領域及び上記の第２領域は、後述する電子ブック内の売場ページ、及び生成主体別にブランドコンテンツが確認できるコンテンツ確認ページのいずれかであり得る。
【００４１】
一方、コンテンツの提供システム（３００）に保存されたブランドコンテンツがアップデートされた場合、制御部（３１９）は上記のアップデート事実を使用者に知らせることができる。例えば、制御部（３１９）は最新のブランドコンテンツについて識別できるように表示できる。
【００４２】
分析部（３１５）は使用者の行動履歴を分析して使用者の行動パターン情報を生成する。
【００４３】
例えば、分析部（３１５）はインターネットＵＲＬ、ＩＰＴＶ運営システム及び移動通信システムからフィードバックされた行動パターン情報を分析したり、コンテンツの提供システム（３００）に保存されたブランドコンテンツの利用回数などを分析して使用者の行動履歴を分析することができる。また、分析部（３１５）はコンテンツに対する反応を分析してコンテンツの反応情報を生成することもできる。例えば、コンテンツの提供システム（３００）で提供される特定コンテンツのスクラップ数、コメント数、上記の特定コンテンツの編集回数などが反応情報になれる。
【００４４】
入力部（３１６）はブランド検索またはコンテンツ検索（例えば、特定ブランドコンテンツの検索）するための使用者の入力を受信する。即ち、入力部（３１６）は特定ブランドや特定コンテンツを検索するために使用者から入力された所定の検索語を受信することができる。上記のブランド検索は、特定ブランドネームを検索することを意味する。
【００４５】
コンテンツ提供部（３１７）は、生成主体により区分してブランドコンテンツを使用者に提供する。コンテンツの生成主体にはブランドの広告主、上記のコンテンツの提供システムを運営する運営者、ブランドコンテンツの提供を受ける使用者などがある。上記の広告主は、自分の商品を広告するためにブランドコンテンツを生成することができ、上記の運営者は、特定広告主のブランドコンテンツを使用者に広報するためにブランドコンテンツを生成することができ、使用者は提供されたブランドコンテンツを編集したり再加工して新しいブランドコンテンツを生成することができる。
【００４６】
また、コンテンツ提供部（３１７）は、特定ブランドと関連したブランド売場を使用者に提供することもできる。上記の特定ブランド売場には、特定ブランド商品が陳列されることができる。上記のブランド売場は、サイバー空間に入店された特定空間を意味する。上記のブランド売場及び特定ブランド商品は、２Ｄイメージであり得、３Ｄイメージでもあり得る。
【００４７】
本発明の一実施例によると、特定ブランド売場及びブランドコンテンツは特定ブランドと関連した電子ブックに備えられた特定ページを通じて出力できる。本明細書における電子ブックとは、特定情報または特定コンテンツが確認できる電子媒体タイプのブックをいう。使用者は電子ブック進入を通じて、特定ブランド売場が確認できる。又、上記の電子ブックには生成主体により区分されてブランドコンテンツが確認できるページがさらに備えられる。従って、使用者は特定ブランドを選択し、上記の選択されたブランドと関連した電子ブックを通じてブランド売場及びブランドコンテンツが確認できる。
【００４８】
そして、電子ブックを通じて提供されるブランドコンテンツは使用者の選択により外部空間にスクラップできる。この場合、一つのコンテンツ全体がスクラップされることもでき、客体単位に分割されてスクラップされることもできる。
【００４９】
出力部（３１８）は、各種の情報が含まれた画面を出力する。例えば、入力された検索語にマッチングされた検索結果を表す画面、ブランドコンテンツを探索するための売場画面、特定ブランドコンテンツの再生画面などをディスプレイする。
【００５０】
制御部（３１９）は、データベース（３１０）、製作部（３１１）、受信部（３１２）、転送部（３１３）、アップデート部（３１４）、分析部（３１５）、入力部（３１６）、コンテンツ提供部（３１７）、及び出力部（３１８）で遂行する全般的な機能を有機的に制御することができる。
【００５１】
図３は、図２に示された製作部（３１１）でコンテンツを製作する一例を示す図面である。図示されたところによると、各コンテンツまたはブランド商品は少なくとも一つの客体からなっている。コンテンツ１は客体Ａ、Ｂ、Ｃを含んでおり、コンテンツ２は客体Ｅ、Ｆ、Ｇを含んでおり、コンテンツ３は客体Ｍ、Ｎを含んでいる。
【００５２】
製作部（３１１）はコンテンツの製作が遂行できるエディター（Ｅｄｉｔｏｒ）（未図示）を備えることができる。上記のエディターはソフトウエアで具現できる。上記のエディターはコンテンツから特定客体を抽出することができる。例えば、コンテンツ１からは客体Ｃを抽出し、コンテンツ２からは客体Ｆを抽出し、コンテンツ３から客体Ｎを抽出することができる。上記のエディターは抽出されたコンテンツ（Ｃ，Ｆ，Ｎ）を組み合わせて新しいコンテンツ（２１１）を製作することができる。
【００５３】
一方、各客体の属性は特定コードと連繋されていることができる。例えば、客体ＡはＡコードと連繋され、Ｂ客体はＢコードと連繋できる。本明細書における客体の属性とは、特定客体を他の客体と区分付けるための本質的な特性をいう。客体の全ての特性を特定コードと連繋させる方法より、客体の属性のみを抽出して連繋させる方法を通じてコンテンツの提供システム（３００）の負荷を最小化することができる。
【００５４】
即ち、ブランドコンテンツまたはブランド商品は客体別に分割し、分割された客体及び上記の分割された客体と連繋された特定コードがデータベース（３１０）に保存できる。
【００５５】
例えば、ブランドコンテンツ１は客体Ａ、客体Ｂ、及び客体Ｃから構成され、ブランドコンテンツ２は客体Ａ、客体Ｂ、及び客体Ｄから構成されたと仮定する。もし、コンテンツ単位でブランドコンテンツをデータベース（３１０）に保存する場合、データベース（３１０）にはブランドコンテンツ１（客体Ａ＋客体Ｂ＋客体Ｃ）及びブランドコンテンツ２（客体Ａ＋客体Ｂ＋客体Ｄ）が保存され、客体Ａ及び客体Ｂが重複保存される。しかし、客体別に分割し、分割された客体及び分割された客体と連繋された特定コードがデータベース（３１０）に保存される場合、データベース（３１０）に保存される情報またはデータは、客体Ａ、客体Ｂ、客体Ｃ、客体Ｄ、及び該当客体に連繋されたコード情報のみ保存されればよい。従って、上記の客体別の分割方法を利用してコンテンツを制作し、保存する場合、データベース（３１０）に保存される情報またはデータ量を減らすことができる。
【００５６】
また、ブランドコンテンツが客体別に分割されている場合、上記のブランドコンテンツの提供時にも、ローディング（ｌｏａｄｉｎｇ）時間を減らすことができる。
【００５７】
一方、制御部（３１９）は各コードのトラッキング（ｔｒａｃｋｉｎｇ）のチェックを通じて各客体の追跡情報を算出することができる。客体の追跡情報とは、客体の名残と関連した情報をいう。上記の追跡情報は客体の抽出回数、抽出された客体の移動経路に対する情報、抽出された客体の変換情報などを含むことができる。
【００５８】
本発明の一実施例によると、コンテンツの提供システム（３００）は各コードが抽出された回数に対応するように各コードにナンバーリングをすることにより、各コードのトラッキングがチェックできる。一番目に抽出される客体Ａは“Ａ＿０００１”というコードと連繋させ、二番目に抽出される客体Ａは“Ａ＿０００２”というコードと連繋させることができる。従って、客体の属性と連繋されたコード（例えば、客体Ａの場合“Ａ”）の後にナンバーリングされる数字（例えば、０００１，０００２）を通じて各客体の抽出回数がチェックできる。また、制御部（３１９）は、抽出された客体が外部の使用者空間にスクラップされた場合、“Ａ＿０００１”コードまたは“Ａ＿０００２”コードをスクラップされた所の位置情報と連繋させてデータベース（３１０）に保存することができる。
【００５９】
一方、製作されたコンテンツ（２１１）は多様な媒体を通じて提供できる。例えば、製作されたコンテンツ（２１１）が第１媒体に対応するように製作された場合、製作されたコンテンツ（２１１）を利用して第２媒体に対応されるコンテンツを生成する方法を利用して複数個の媒体に対応する複数個のコンテンツが生成できる。単純に、第１コンテンツの規格を第２コンテンツの規格に変換する、いわゆる単純規格変換を行うこともでき、第１コンテンツのマルチメディア要素を第２コンテンツの実情に合うように再エンコード及び／又は再配置する、いわゆる編集変換を行うこともできる。
【００６０】
具体的な例として、第１媒体がインターネットウェブで第２媒体が移動通信であれば、単純規格変換によりｈｔｍｌ、ｘｍｌ規格の第１コンテンツをＷＡＰの規格に従う第２コンテンツに変換する。また、編集変換の例として、キーボードとマウスを利用して比較的に複雑な操作が可能で、高品質のイメージ及び動画から構成された第１コンテンツが、限定された個数の番号キーで操作可能であり、相対的に低品質のイメージ及び動画から構成された第２コンテンツに変換できる。
【００６１】
また、第１媒体がインターネットウェブで第２媒体がＩＰＴＶであれば、ウェブページを構成する単位ページのそれぞれをスチールイメージでキャプチャーしたり、アクティブＸ、フラッシュなどのアドインプラグラムを除いたイメージと動画のみから構成されたファイルに変換する。第２媒体がＤＭＢであれば、イメージ及び動画の品質をより下げる方式で変換して相対的に小さい帯域幅に適用できるようにする。
【００６２】
一方、本発明の一実施例によると、各媒体に適合するコンテンツを提供する方法は、ブランドコンテンツが客体別に分割された場合、上記の分割された客体を組み合わせる方式を通じて行われる。
【００６３】
図４は、本発明の一実施例に係るコンテンツの提供システム（３００）を通じて媒体別にブランドコンテンツを提供する一例を示す図面である。
【００６４】
図示されたように、客体別にブランドコンテンツが分割された場合、分割された客体を媒体別の性格に合うように組み合わせて使用者に提供できる。データベース（３１０）は、ブランドコンテンツを構成する客体に対するマッピング（ｍａｐｐｉｎｇ）テーブル（４０１）及び分割された客体が保存された客体データベース（４０２）を含むことができる。例えば、制御部（３１９）は、モバイル用のブランドコンテンツ１を提供するために、客体構成コードＡ、Ｂ、及びＣを呼び出すことができる。ここで、客体構成コードとは、分割された特定客体と連繋された特定コードをいう。上記の客体構成コードＡ、Ｂ、及びＣが呼び出されると、制御部（３１９）は上記の呼び出されたコードと連繋された客体を客体データベース（４０２）から抽出して組み合わせた後、使用者に提供できる。また、制御部（３１９）は、インターネット用のブランドコンテンツ１を提供するために、客体構成コードＡ、Ｂ、Ｃ、及びＤを呼び出すことができる。上記の客体構成コードＡ、Ｂ、Ｃ、及びＤが呼び出されると、制御部（３１９）は上記の呼び出されたコードと連繋された客体を客体データベース（４０２）から抽出して組み合わせた後、使用者に提供できる。モバイル用のブランドコンテンツ１とインターネット用のブランドコンテンツ１の構成客体が異なる理由は、媒体別の環境に基づく。例えば、媒体別にデコーディングまたは再生能力が異なるため、ブランドコンテンツを構成する客体構成コードが異なり得る。
【００６５】
上記のような方式を通じて生成された複数個のコンテンツは、各媒体を通じて提供できる。
【００６６】
図５は、図２に図示されたコンテンツの提供システムを通じてコンテンツを提供する方法の一例を示すフローチャートである。
【００６７】
受信部（３１２）は、複数の生成主体からブランドコンテンツを受信することができる（Ｓ５０１）。上記の複数の生成主体は、運営者、広告主、及び使用者を含むことができる。上記の受信されたブランドコンテンツは、図３に説明された方法で客体別に分割され、各生成主体と連繋されてデータベース（３１０）に保存できる（Ｓ５０２，Ｓ５０３）。この場合、制御部（３１９）は、第１媒体に合うように生成された第１ブランドコンテンツを利用し、第２媒体に合う第２ブランドコンテンツを生成することができる。媒体環境に合うブランドコンテンツの生成方法に対しては既に説明したため、ここでは省略する。
【００６８】
一方、使用者は特定媒体（使用者端末機）を利用してコンテンツの提供システム（３００）に接続を試みることができる。即ち、受信部（３１２）が使用者の接続信号を受信した場合、制御部（３１９）は接続可否を判断することができる。例えば、制御部（３１９）は上記の接続信号を分析して、接続された媒体の種類、接続媒体の位置情報、または接続媒体の使用者情報などを分析することができる。制御部（３１９）は、上記の分析された情報を基に特定媒体の接続許否を決定することができる。使用者の接続が正常的な場合、制御部（３１９）は特定媒体を通じた使用者の接続を許諾することができる。
【００６９】
上記の特定媒体の接続が許諾された場合、制御部（３１９）は初期画面を出力部（３１８）を通じて出力できる。上記の初期画面でまたは初期画面の特定メニュー進入を通じて使用者は特定ブランドを選択できる。
【００７０】
例えば、制御部（３１９）は特定ブランドを検索するための入力窓が設けられた画面を出力できる。
【００７１】
図６は、ブランドを検索するための入力窓が設けられた画面の一例を示す。
【００７２】
図示されたように、出力部（３１８）は使用者がブランドコンテンツの確認項目（５０１）を選択した場合、ブランドを検索するための入力窓（６０１）、及び特定商品（６０２）が含まれた画面をディスプレイすることができる。使用者が特定商品（６０２）を選択した場合、出力部（３１８）は上記の特定商品の拡大イメージを出力することができる（未図示）。また、使用者は検索語の入力窓（６０１）にブランドを検索するための特定キーワードを入力することができる。検索キーワードが入力された場合（Ｓ５０４）、出力部（３１８）は上記の検索キーワードにマッチングされるブランドが含まれたブランドの検索結果窓（６０３）をディスプレイすることができる（Ｓ５０５）。例えば、上記のブランドの検索結果窓（６０３）には入力されたキーワードを含むブランドがディスプレイされることもでき、特定キーワードを購買した広告主のブランドがディスプレイされることもできる。
【００７３】
即ち、使用者から入力された検索語を入力部（３１６）が受信した場合（Ｓ５０４）、制御部（３１９）は入力された検索語にマッチングされる検索結果画面を出力部（３１８）を通じて出力することができる（Ｓ５０５）。
【００７４】
使用者は、上記のブランドの検索結果窓（６０３）にディスプレイされたブランドのいずれかを選択することができる（Ｓ５０６）。使用者により特定ブランドが選択された場合、出力部（３１８）は上記の選択された特定ブランドと関連した電子ブックを出力することができる（Ｓ５０７）。
【００７５】
図７は、特定ブランドと関連した電子ブックの一例を示す。
【００７６】
図示されたように、電子ブックは特定ブランド売場が確認できるページ（７０１）及び特定ブランドコンテンツを生成主体（例えば、運営者、広告主、使用者）により区分して確認できるページ（７０２，７０３，７０４）が備えられている。
【００７７】
一方、制御部（３１９）は、デフォルトされた特定ページが電子ブックの初期画面としてディスプレイされるようにすることもできる。上記のデフォルト設定は、コンテンツの提供システム（３００）の運営者により遂行されることもでき、使用者により遂行されることもできる。また、制御部（３１９）が使用者の行動パターンを分析して自動的に設定することもできる。例えば、所定の期間、使用者が最も多く接続したページが初期画面として設定されることもできる。
【００７８】
使用者が売場確認ページ（７０１）を選択した場合、出力部（３１８）は特定ブランド売場に進入した画面を出力することができる（Ｓ５０８，Ｓ５０９）。
【００７９】
図８は特定ブランド売場に進入した画面の一例を示す。
【００８０】
図示されたように、上記の特定ブランド売場には上記の売場で提供する商品が陳列されている。出力部（３１８）は使用者端末機の操作により、特定領域に画面を移動させることができる。上記の画面移動を通じて使用者は陳列された多様な商品を確認することができる。陳列された商品の中から特定商品が選択された場合、出力部（３１８）は選択された商品の詳細情報を出力することができる。
【００８１】
図９は特定商品の詳細情報を示す画面の一例を示す。
【００８２】
図示されたように、特定商品の詳細情報窓（９０１）には上記の選択された商品に対する拡大イメージ、上記の商品に対する関連記事、上記の特定商品が購買できる空間に連結されるリンク情報（またはリンク項目）及び、上記の商品に対する連関コンテンツなどが含まれ得る。上記の商品に対する連関コンテンツは多様に存在することができる。例えば、上記の連関コンテンツは、上記の選択された商品と同様な種類の他ブランドのコンテンツ、選択した商品と類似する商品に対する同一ブランドコンテンツなどを含むことができる。
【００８３】
一方、図１０は使用者が選択した特定ブランド売場画面で特定商品を選択し、上記の特定商品と関連したブランドコンテンツがリンクされる画面を示す図面である。
【００８４】
図１０ａに図示されたように、上記の特定ブランド売場には第１商品イメージ（１００１）がディスプレイされている。上記の商品イメージ（１００１）が使用者により選択された場合（Ｓ５１０）、出力部（３１８）は上記の選択された商品に対する詳細情報窓（１００２）を出力できる。上記の詳細情報窓（１００２）には、上記の選択された商品に対する拡大イメージ、上記の商品に対する関連記事、及び上記の商品に対する連結コンテンツなどが含まれ得る。上記の商品に対する連関コンテンツは多様に存在することができる。例えば、上記の連関コンテンツは、上記の選択された商品と同様な種類の他ブランドのコンテンツ、選択した商品と類似する商品に対する同一ブランドコンテンツなどを含むことができる。
【００８５】
図１０ｂは、上記の第１商品と関連した連関コンテンツのうち、特定ブランドコンテンツが選択された場合、選択された特定ブランドコンテンツ（例えば、コンテンツＡ）が出力される画面を示す。即ち、制御部（３１９）は、選択された特定ブランドコンテンツ（１００３）を再生して上記の出力部（３１８）を通じて出力されるようにすることができる（Ｓ５１１）。出力された特定ブランドコンテンツ（１００３）に含まれた商品のうち、特定商品が選択された場合（Ｓ５１２）（例えば、商品Ｘが選択された場合）、出力部（３１８）は選択された商品及び上記の選択された商品に対する詳細情報窓を出力できる。そのような例が図１０ｃに図示されている。
【００８６】
図１０ｃに図示されたように、上記の特定ブランド売場には、選択された商品（例えば、商品Ｘ）（１００４）及び選択された商品に対する詳細情報窓（１００５）を出力できる（Ｓ５１３）。上記の詳細情報窓（１００５）には、上記の選択された商品に対する拡大イメージ、上記の商品に対する関連記事、及び上記の商品に対する連関コンテンツなどが含まれ得る。また、上記の詳細情報窓（１００５）にサムネイル形態でディスプレイされたブランドコンテンツのうち、特定ブランドコンテンツが選択された場合、上記の選択されたブランドコンテンツが再生できる。
【００８７】
前述した方法のように、本発明の一実施例に係るコンテンツの提供方法は、特定商品と上記の特定商品と関連したブランドコンテンツを相互リンクされるようにし、使用者によりコンテンツ及び商品検索に便宜を図ることができる。
【００８８】
一方、本発明の一実施例によると、使用者は電子ブックでブランドコンテンツ確認ページを選択し、ブランドコンテンツが確認できる。上記のブランドコンテンツ確認ページは、生成主体により区分して確認することができる。上記の生成主体は、運営者、広告主、及び使用者を含むことができる。
【００８９】
図１１は、特定生成主体が生成したブランドコンテンツを電子ブックを通じて提供する一例を示す。
【００９０】
図示されたように、上記の電子ブックは特定ブランドコンテンツを生成主体（運営者、広告主、使用者）により区分して提供することができる。また、上記のブランドコンテンツはコンテンツの種類別に分類されて提供できる（未図示）。例えば、画報、記事、動画別にブランドコンテンツが分類されて使用者に提供できる。また、上記の電子ブックを通じて提供されるブランドコンテンツは、特定基準により再配列できる。例えば、作成された順序を基準に、ブランドコンテンツが配列されることもでき、人気順にブランドコンテンツが配列されることもできる。
【００９１】
例えば、使用者が運営者コンテンツ確認ページを選択した場合、上記の運営者により生成されたブランドコンテンツが出力できる（Ｓ５０８，Ｓ５１４）。上記の運営者コンテンツ（運営者により生成されたブランドコンテンツ）は多様な基準により整列できる。例えば、登録日順に整列することもでき、人気コンテンツ順に整列することもでき、コンテンツ種類別（例えば、動画別、記事別など）に整列することもできる。
【００９２】
また、特定運営者コンテンツ確認ページでも、特定ブランドコンテンツと特定商品が相互リンクできる。例えば、出力された特定運営者コンテンツに含まれた商品が選択された場合、制御部（３１９）は、上記の特定商品及び上記の特定商品と関連したブランドコンテンツを出力部（３１８）により出力できる（Ｓ５１５，Ｓ５１６）。
【００９３】
また、使用者が広告主コンテンツ確認ページを選択した場合、上記の広告主により生成されたブランドコンテンツが出力できる（Ｓ５０８，Ｓ５１７）。上記の広告主コンテンツ（広告主により生成されたブランドコンテンツ）は多様な基準により整列できる。  例えば、登録日順に整列することもでき、人気コンテンツ順に整列することもでき、コンテンツ種類別（例えば、動画別、記事別など）に整列することもできる。
【００９４】
また、特定広告主コンテンツ確認ページでも、特定ブランドコンテンツと特定商品が相互リンクできる。例えば、出力された特定広告主コンテンツに含まれた商品のうち、特定商品が選択された場合、制御部（３１９）は、上記の特定商品及び上記の特定商品と関連したブランドコンテンツを出力部（３１８）により出力できる（Ｓ５１８，Ｓ５１９）。
【００９５】
また、使用者が使用者コンテンツ確認ページを選択した場合、上記の使用者により生成されたブランドコンテンツが出力できる（Ｓ５０８，Ｓ５２０）。上記の使用者コンテンツ（使用者により生成されたブランドコンテンツ）は多様な基準により整列できる。例えば、登録日順に整列することもでき、人気コンテンツ順に整列することもでき、コンテンツ種類別（例えば、動画別、記事別など）に整列することもできる。
【００９６】
また、特定使用者コンテンツ確認ページでも、特定ブランドコンテンツと特定商品が相互リンクできる。例えば、出力された特定使用者コンテンツに含まれた商品のうち、特定商品が選択された場合、制御部（３１９）は、上記の特定商品及び上記の特定商品と関連したブランドコンテンツを出力部（３１８）により出力できる（Ｓ５２１，Ｓ５２２）。
【００９７】
一方、本発明の一実施例に係るコンテンツの提供方法は、使用者に特定テンプレートを提供し、使用者により使用者コンテンツを生成させることができる。
【００９８】
図１２は、コンテンツの提供システム（３００）に保存されたコンテンツを編集したり、保存されたコンテンツを利用して新しいブランドコンテンツを生成できる画面の一例を示す。
【００９９】
図示されたように、客体単位の編集を容易にするために、制作部（３１１）はテンプレートを使用者端末機に提供できる。上記のテンプレートは、テンプレート提供窓（１２００）を通じて使用者に提供できる。使用者は上記の窓（１２００）を通じて提供されるテンプレートのうち、所望のテンプレートを選択することができる。
【０１００】
例えば、使用者が２番タイプに該当するテンプレートを選択した場合、コンテンツの制作画面（１２０５）には２番タイプのテンプレートに対応されるフォーマットが設けられる。使用者は上記のフォーマットに対応するようにブランドコンテンツを制作できる。使用者が特定テンプレートを利用する場合、簡単な使用者入力（例えば、ドラッグ入力、タッチ入力、クリックなど）を通じて特定客体を容易に収集することができる。上記の特定客体はデータベース（３１０）から抽出された客体であり得、使用者が既保存した客体であることもできる。即ち、上記の特定客体収集は、データベース（３１０）に保存された客体を確認するためのメニュー（１２０１）を利用して遂行することもでき、使用者が既保存した客体を確認するためのメニュー（１２０３）を利用して遂行することもできる。そして、上記の収集された客体は、自動的に使用者が選択したテンプレートに対応する特定フォーマットに合うようにコンテンツに制作できる。即ち、使用者が簡単な使用者入力を通じて特定客体を選択さえすれば、自動的に新しいコンテンツが生成できる。
【０１０１】
また、コンテンツの提供システム（３００）は場合によっては、客体を選択するための使用者入力の以外にも客体生成を使用者入力を受信し、使用者のコンテンツを生成することもできる。例えば、客体生成を使用者入力は特定記事を作成するための使用者入力を含むことができる。
【０１０２】
一方、本発明の一実施例によると、売場に陳列されたブランド商品のうち、使用者により選択された特定商品イメージや電子ブックを通じて提供されるブランドコンテンツのうち、使用者により選択された特定ブランドコンテンツは外部の使用者空間に転送できる。即ち、転送部（３１３）は、使用者により選択された特定商品イメージまたは特定ブランドコンテンツを外部の使用者空間に転送することができる。この場合、一つのコンテンツ（特定商品イメージまたは特定ブランドコンテンツ）全体がスクラップされることもでき、上記のコンテンツが客体単位に分割されてスクラップされることもできる。
【０１０３】
一方、本発明の一実施例によると、転送部（３１３）は、上記の使用者により選択された特定コンテンツ（特定商品イメージまたは特定ブランドコンテンツ）が確認できるように、リンク情報のみを外部の使用者空間に転送することができる。即ち、本発明はリンク情報のみを外部の使用者空間に転送することにより、コンテンツの再転送及び複製が防止でき、コンテンツの著作権を保護することができる。
【０１０４】
図１３は、電子ブックを通じて提供される特定コンテンツ（特定商品イメージまたは特定ブランドコンテンツ）を外部の使用者空間でも確認できるように、リンク情報を転送する一例を示す。リンク情報とは、特定空間に連結するための情報をいう。
【０１０５】
図示されたように、電子ブックを通じて使用者は選択されたブランドコンテンツ（１３０１）が確認できる。転送部（３１３）は、ブランドコンテンツ（１３０１）自体を転送するものではなく、ブランドコンテンツ（１３０１）が確認できるようにリンク情報を外部の使用者空間に転送できる。上記のリンク情報は、選択されたブランドコンテンツ（１３０１）の全部が確認できる情報またはブランドコンテンツ（１３０１）の一部客体（例えば、イメージ、テキストなど）が確認できる情報を含むことができる。使用者は外部の使用者空間の入力窓（１３０３）を通じて上記のリンク情報を転送する外部の使用者空間を選択することができる。例えば、使用者が“ブログＡ”及び“ブログＢ”を外部の使用者空間として選択した場合、リンク情報が“ブログＡ”及び“ブログＢ”に転送できる。即ち、使用者がリンク情報の転送窓（１３０５）を選択すると、上記のリンク情報が選択された外部の使用者空間に転送できる。
【０１０６】
この場合、コンテンツの提供システム（３００）は上記の外部の使用者空間で支援するフォーマットを考慮し、上記のリンク情報を転送することができる。例えば、ブログＡではＡフォーマット（例えば、ＵＲＬ形式）を支援し、ブログＢではＢフォーマット（ジャバスクリプト形式）を支援する場合、ブログＡにはＡフォーマットでリンク情報を転送し、ブログＢにはＢフォーマットでリンク情報を転送することができる。
【０１０７】
一方、外部の使用者空間は、リンク情報が転送された特定ページが出力された場合、使用者の入力がなくても自動的に上記のリンク情報と連繋されたブランドコンテンツが再生されるようにすることができる。
【０１０８】
また、本発明の一実施例によると、制御部（３１９）は転送されたリンク情報の追跡情報を抽出してデータベース（３１０）に保存することができる。上記の追跡情報は、転送された外部の使用者空間の位置情報、リンク情報の転送回数情報を含むことができる。上記の外部の使用者空間の位置情報は、上記の外部の使用者空間の特定ページアドレス及び上記の特定ページの特定領域の位置も含む。
【０１０９】
一方、本発明の一実施例によると、コンテンツの提供システム（３００）は複数個のブランドと連関されたブランドコンテンツの登録を受け、上記の複数個のブランド売場にそれぞれ転送することができる。
【０１１０】
図１４は、複数個のブランドと連関されたブランドコンテンツが対応されるブランドコンテンツに登録される一例を示す。
【０１１１】
図示されたように、ブランドコンテンツ（１４０１）は複数個のブランドと連繋されたコンテンツを示す。即ち、ブランドコンテンツ（１４０１）は“Ａ、Ｂ、Ｃ、及びＤ”ブランドと連関されている。制御部（３１９）は、上記のブランドコンテンツ（１４０１）をＡブランドコンテンツ、Ｂブランドコンテンツ、Ｃブランドコンテンツ、及びＤブランドコンテンツにそれぞれ登録し、データベース（３１０）に保存することができる。上記の登録されたブランドコンテンツは、該当ブランド売場に自動的に転送できる。即ち、上記のブランドコンテンツ（１４０１）がコンテンツの提供システム（３００）に登録された場合、上記のブランドコンテンツ（１４０１）は、該当ブランド売場と連繋されて自動的に保存できる。この場合、制御部（３１９）は、上記のブランドコンテンツ（１４０１）で該当ブランドと関連した領域のみを抽出して識別できるように出力できる。例えば、ブランドコンテンツ（１４０１）が“Ａブランドコンテンツ”として保存された場合、制御部（３１９）は、ブランドコンテンツ（１４０１）でＡブランドと関連した領域のみを抽出して識別できるように出力できる。
【０１１２】
前述した一つの方法を利用してコンテンツの提供システム（３００）はコンテンツをより容易に登録することができる。
【０１１３】
また、本発明の一実施例によると、前述した方法は、プログラムが記録された媒体にコンピュータが読み取れるコードとして具現することが可能である。コンピュータが読み取れる媒体は、コンピュータシステムにより読み取られるデータが保存される全種類の記録装置を含む。コンピュータが読み取れる媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた転送）の形態で具現されることも含む。
【０１１４】
上記のように説明されたコンテンツの提供システム及びコンテンツの提供方法は、上記の説明された実施例の構成と方法が限定されて適用されるものではなく、上記の実施例は多様な変形がなされるように、各実施例の全部または一部が選択的に組み合わされて構成されることもできる。
【図１】
2011014117.tif 000003
【図２】
2011014117.tif 000004
【図３】
2011014117.tif 000005
【図４】
2011014117.tif 000006
【図５】
2011014117.tif 000007
【図６】
2011014117.tif 000008
【図７】
2011014117.tif 000009
【図８】
2011014117.tif 000010
【図９】
2011014117.tif 000011
【図１０】
2011014117.tif 000012
【図１１】
2011014117.tif 000013
【図１２】
2011014117.tif 000014
【図１３】
2011014117.tif 000015
【図１４】
2011014117.tif 000016